(57)【要約】【課題】    平版印刷版の搬送長の変動を防止する測長装置を得る。【解決手段】  測長ロール５４の、加圧ロール５６と対向する対向部６６を円筒状の金属で形成することで、測長ロール５４の表面の多角化を防止することができる。つまり、測長ロール５４の円周長は常に略一定となり、測長ロール５４の１回転当たりのウエブ１２の搬送長は変動しない。【選択図】        図２
2006030000.tif 000002
【特許請求の範囲】
【請求項１】
搬送される平版印刷版に従動して回転する測長ロールと、前記測長ロールの回転量に基づいて前記平版印刷版の搬送長を検出する検出手段と、前記測長ロールに対向して設けられ、測長ロールとの間で前記平版印刷版を狭持する加圧ロールと、を備え、
前記測長ロールの外周面が金属であることを特徴とする測長装置。
【請求項２】
搬送される平版印刷版に従動して回転する測長ロールと、前記測長ロールの回転量に基づいて前記平版印刷版の搬送長を検出する検出手段と、前記測長ロールに対向して設けられ、測長ロールとの間で前記平版印刷版を狭持する加圧ロールと、を備え、
前記測長ロールの外周面が樹脂であることを特徴とする測長装置。
【請求項３】
搬送される平版印刷版に従動して回転する測長ロールと、前記測長ロールの回転量に基づいて前記平版印刷版の搬送長を検出する検出手段と、前記測長ロールに対向して設けられ、測長ロールとの間で前記平版印刷版を狭持する加圧ロールと、を備え、
前記測長ロールの外周面がセラミックであることを特徴とする測長装置。
【請求項４】
前記測長ロールの前記平版印刷版のエッジ部が接触する部分にゴム層を設けたことを特徴とする請求項１〜３の何れか１項に記載の測長装置。
【発明の詳細な説明】
【技術分野】
【０００１】
本発明は、印刷版の走間切断機等に用いられる測長装置に関するものである。
【背景技術】
【０００２】
製造ラインにおいて、印刷版等のウエブを搬送状態のまま任意の一定長に切断するため走間切断機が用いられている。この走間切断機は一定の速度で搬送されるウエブの搬送長を検知する測長装置を備えており、この測長装置からの情報をもとに、下流側に設けられたシャーを制御してウエブを切断している。
【０００３】
このような走間切断機の測長装置は、通常、測長ロールと加圧ロールとから構成されており、測長ロールと加圧ロールとの間でウエブをニップし、ウエブの搬送によって従動回転する測長ロールによってウエブの搬送長が測定される。
【０００４】
例えば、特許文献１では、図４に示すように、モータ１００を駆動して搬送ロール１０２を回転させることによって、ウエブ１０４が図中の矢印Ａ方向に一定速度で連続して搬送される。測長ロール１０６は搬送ロール１０２の上流に設けられており、加圧ロール１０８との間でウエブ１０４を狭持してウエブ１０４の搬送によって従動回転する（特許文献１）。
【０００５】
このように、測長ロール１０６が回転すると、測長ロール１０６の軸部に設けられたエンコーダ１０３が、一定の回転角毎にパルスを発生し、該パルスがシャー制御回路１０５へ送られる。そして、シャー１０７を制御して、搬送されるウエブ１０４を一定の製品長で連続的に切断する。
【０００６】
一方、加圧ロール１０８は、図５に示すように、支持枠１１０に回転可能に軸支されている。支持枠１１０はガイドバー１１２に沿って図中上下方向へ移動可能となっており、支持枠１１０を介して加圧ロール１０８が上下移動可能となっている。
【０００７】
また、支持枠１１０にはエアシリンダ１１４が接続されており、切り替えバルブ１１６を通じてエアー供給され、エアシリンダ１１４によって支持枠１１０が所定の位置に位置決めされる。これにより、加圧ロール１０８が位置決めされ、加圧ロール１０８によって、常に一定の圧力で測長ロール１０６が押圧されて、加圧ロール１０８と測長ロール１０６との間でウエブ１０４をニップすることが可能となる。
【０００８】
しかしながら、測長ロール１０６の表面には、ウエブ１０４にキズを発生させないよう一般的にゴムライニングが施されているため、上記のように、加圧ロール１０８によって、常に一定の圧力で測長ロール１０６を押圧するという構成の場合、加圧ロール１０８からの押圧力でゴムライニングが弾性変形してしまう。
【０００９】
図示はしないが、弾性変形した測長ロールは、非特許文献１に示されるように、多角状を成し、測長ロールの円周長が変わる。また、速度依存性も高く、測長ロールの１回転当たりのウエブの搬送長が変動して、ウエブの測長誤差が出る要因となる。このため、図６に示すように、ウエブを定速で搬送するとき、搬送のライン速度が速くなる程、実際の切断長（製品長）が短くなってしまう。
【特許文献１】特開平６−１９４１５１号公報
【非特許文献１】日本機械学会  機械力学・計測制御  Ｎｏ．９２０−５５  Ｄ＆Ｄ  ｃｏｎｆ．‘９２公演論文集  劉他
【発明の開示】
【発明が解決しようとする課題】
【００１０】
本発明は、上記事実を考慮し、平版印刷版の搬送長の変動を防止する測長装置を提供することを目的とする。
【課題を解決するための手段】
【００１１】
請求項１に記載の発明は、測長装置において、搬送される平版印刷版に従動して回転する測長ロールと、前記測長ロールの回転量に基づいて前記平版印刷版の搬送長を検出する検出手段と、前記測長ロールに対向して設けられ、測長ロールとの間で前記平版印刷版を狭持する加圧ロールと、を備え、前記測長ロールの外周面が金属であることを特徴としている。
【００１２】
請求項１に記載の発明では、搬送される平版印刷版に従動して測長ロールが回転し、この測長ロールの回転量に基づいて、検出手段によって平版印刷版の搬送長が検出される。また、測長ロールには加圧ロールが対向して設けられ、測長ロールとの間で平版印刷版が狭持される。
【００１３】
この測長ロールの外周面を金属とすることで、測長ロール表面の多角化を防止することができる。つまり、測長ロールの円周長は常に略一定となり、測長ロールの１回転当たりの平版印刷版の搬送長は変動しない。
【００１４】
ここで、金属は特に限定されるものではないが、摩耗劣化など表面状態の変化が少ないものが良いため、鋼やチタンなどが好ましい。また、鉄材等にハードクロムメッキ等のメッキを施して摩耗劣化を防止するようにしても良い。さらに、いわゆるカーボンロールにメッキ等の表面処理を施したものを用いても良い。
【００１５】
請求項２に記載の発明は、測長装置において、搬送される平版印刷版に従動して回転する測長ロールと、前記測長ロールの回転量に基づいて前記平版印刷版の搬送長を検出する検出手段と、前記測長ロールとの間で前記平版印刷版を狭持する加圧ロールと、を備え、前記測長ロールの外周面が樹脂であることを特徴としている。
【００１６】
請求項２に記載の発明では、測長ロールの外周面を樹脂とすることで、測長ロールの外周面がゴム部材である場合と比較して、測長ロール表面の多角化を防止することができる。
【００１７】
ここで、樹脂は特に限定されるものではないが、摩耗劣化など表面状態の変化の少ないものが良いため、エポキシ、硬質塩化ビニル、またはＭＣナイロンなどが好ましい。また、ポリエチレン、テフロン（登録商標）などのチューブ体を熱収縮等を利用して測長ロールの表面に薄層状に被覆してもよい。炭素繊維を含有させ、耐摩耗性等を向上させた樹脂を用いても良い。
【００１８】
請求項３に記載の発明は、測長装置において、搬送される平版印刷版に従動して回転する測長ロールと、前記測長ロールの回転量に基づいて前記平版印刷版の搬送長を検出する検出手段と、前記測長ロールとの間で前記平版印刷版を狭持する加圧ロールと、を備え、前記測長ロールの外周面がセラミックであることを特徴としている。
【００１９】
請求項３に記載の発明では、測長ロールの外周面をセラミックとすることで、測長ロールの外周面がゴム部材である場合と比較して、測長ロール表面の多角化を防止することができる。
【００２０】
ここで、セラミックは限定されるものではなく、アルミナ系他各種利用可能である。成形体の管など構造用部材を利用しても良いが、溶射、蒸着等を利用したセラミックコーティングを利用することも可能である。
【００２１】
請求項４に記載の発明は、請求項１〜３の何れか１項に記載の測長装置において、前記測長ロールの前記平版印刷版のエッジ部が接触する部分にゴム層を設けたことを特徴としている。
【００２２】
印刷版の製造においては、ライン中にスリッタと呼ばれる幅切り装置を設ける場合がある。このスリッタで剪断した平版印刷版のエッジ部には、微少なバリが発生する。このようにバリが生じた状態で、高硬度表面の測長ロールで印刷版を搬送すると、測長ロールの表面が傷ついたり、バリが測長ロール表面に堆積する。このように表面が傷ついたり、表面にバリが堆積した測長ロールに、平版印刷版の表面が接触した場合、平版印刷版の表面を傷つける原因となってしまう。
【００２３】
このため、請求項４に記載の発明では、測長ロールの平版印刷版のエッジ部が接触する部分にゴム層を設けることで、平版印刷版のエッジ部はゴム層（例えばゴム硬度９０度のウレタンゴム）に接触することとなる。これにより、平版印刷版のバリによる測長ロールへのキズ付きを防止することが可能となる。
【発明の効果】
【００２４】
本発明は、上記構成としたので、請求項１〜３に記載の発明では、測長ロール表面の多角化を防止することができるため、測長ロールの円周長は常に一定であり、測長ロールの１回転当たりの平版印刷版の搬送長の変動を防止することができる。
【００２５】
請求項４に記載の発明では、測長ロールの平版印刷版のエッジ部が接触する部分にゴム層を設けることで、平版印刷版のエッジ部はゴム層に接触することとなる。これにより、平版印刷版のバリによる測長ロールへのキズ付きを防止することが可能となる。
【発明を実施するための最良の形態】
【００２６】
図１には、本発明の１実施形態の平版印刷版を加工する加工装置の例として、平版印刷版（以下、「ＰＳ版」という）を剪断するための剪断加工部１０を備えた加工ライン９０が示されている。
【００２７】
この加工ライン９０の上流側（図１右上側）には、あらかじめロール状に巻かれたウエブ１２を順次巻き出す送出機１４が配設されている。送出機１４から送り出された長尺状のウエブ１２がレベラ１５でカール矯正され、送りローラ１６に至ると、合紙１８が貼り合わされ、帯電により密着されて、ノッチャー２０に至る。
【００２８】
ノッチャー２０は、ウエブ１２に打ち抜き部を設け、剪断加工部１０を構成する剪断ローラ２４の上刃が、打ち抜き位置でウエブ１２の幅方向へ移動できるようにする。これにより、ウエブ１２と合紙１８とをまとめて連続剪断しながら、ウエブ１２の剪断幅を変更することが可能となる。以下、単に「幅方向」というときは搬送されるウエブ１２の幅方向をいい、「内側」、「外側」というときは、ウエブ１２の幅方向内側、外側をそれぞれいうものとする。
【００２９】
剪断加工部１０による剪断で生じた剪断屑８６は、図示しないチョッパへ送られて細かく切断された後、回収コンベア８２によって回収箱８４に回収され、合紙１８は吸引パイプ２３で吸引処理される。
【００３０】
このようにして、所定の剪断幅に剪断されたウエブ１２は、測長装置２６で送り長が検出され、指示されたタイミングでシャー２８（走間切断機）により切断される。これにより、設定されたサイズのＰＳ版３０が製造される。
【００３１】
次に、ＰＳ版３０は、コンベア３２によって集積部３４に送られ、所定枚数積み重ねられて、集積束３１が構成される。なお、集積部３４では、この集積束３１の上下若しくは片側に、厚紙等からなる保護シート（一般に「当てボール」と称される）を配置することも可能である。
【００３２】
そして、集積束３１は、搬送部３５を経てパレット３３に積み重ねられる。その後、ラック倉庫等の保管庫あるいは包装工程に送られ、包装材料（テープ、内装材、外装材等）によって包装される。また、自動製版機用のスキッド（平台スキッド、縦型スキッド等）に積み重ねることも可能である。なお、これらのスキッドに積み重ねて包装する場合には、加工ライン９０に、集積束３１をスキッドに集積するための集積装置を設け、加工ライン９０内において直接スキッドに集積するようにしてもよい。
【００３３】
以上のようにして、ＰＳ版３０は包装されて出荷されるが、包装形態によっては、合紙１８や、その他の包装材料を省略してもよい。
【００３４】
ここで、本発明の実施の形態に係る測長装置について説明する。
【００３５】
図２及び図３に示すように、測長装置２６には測長ロール５４と、測長ロール５４と対向して設けられた加圧ロール５６と、が備えられている。加圧ロール５６のシャフト５６Ａは、ガイドバー５８に沿って上下方向へ移動可能に設けられた支持枠６０に回転可能に軸支されており、支持枠６０を介して加圧ロール５６が上下方向へ移動可能となっている。
【００３６】
この支持枠６０にはエアシリンダ６２が接続されており、切り替えバルブ６４を通じてエアーが供給され、エアシリンダ６２によって支持枠６０が上下移動する。これによって加圧ロール５６が上下移動し、支持枠６０を介して加圧ロール５６を所定の位置で支持することで、常に一定の圧力で測長ロール５４が押圧されて、加圧ロール５６と測長ロール５４との間でウエブ１２がニップされる。
【００３７】
測長装置２６の下流側には、搬送ロール７０が設けられており、モータ７１の駆動力によって回転し、ウエブ１２を搬送する。この搬送ロール７０によって、測長ロール５４と加圧ロール５６との間に位置するウエブ１２が挟持搬送される。このウエブ１２の搬送によって、測長ロール５４が従動して回転する。
【００３８】
ここで、加圧ロール５６の軸方向の長さは、測長ロール５４の軸方向の長さよりも短くなっており、搬送されるウエブ１２のエッジ部が加圧ロール５６とは接触しないようにしている。
【００３９】
一方、測長ロール５４は、例えば鋼やチタン等の金属で円筒状に形成されており、測長ロール５４の両端部には、断面略Ｔ字状の軸部５４Ａが固定され、支持枠７２に回転可能に軸支されている。軸部５４Ａの一端部は、支持枠７２を貫通しており、先端部にはエンコーダ７４が設けられている。このため、測長ロール５４が回転すると、測長ロール５４の所定の回転角毎にエンコーダ７４はパルスを発生する。
【００４０】
このエンコーダ７４からのパルスは、エンコーダ７４と接続されたシャー制御回路７６へ送られ、シャー制御回路７６は、該パルスと測長ロール５４の外周から軸芯までの距離とからウエブ１２の搬送長を算出する。
【００４１】
また、シャー制御回路７６には、シャー２８が取付けられたモータ８０が接続されており、このモータ８０の軸にはシャー２８の回転角エンコーダ８８が取付けられている。この回転角エンコーダ８８から発生するパルスはシャー制御回路７６へ入力され、シャー２８の回転角位置を検知できるようになっている。
【００４２】
さらに、シャー制御回路７６は、シャー２８の回転角位置とウエブ１２の搬送長からモータ８０を駆動及び制御する。つまり、モータ８０によりシャー２８の回転速度が制御され、ウエブ１２があらかじめ設定された製品長分送られたときにシャー２８の切断刃２８Ａが噛み合うようにする。また、その時の切断刃２８Ａの速度は、ウエブ１２の搬送速度と等しくなるように制御され、切断刃２８Ａは搬送されてくるウエブ１２を一定の製品長でウエブ１２を止めることなく連続的に切断することができる。
【００４３】
ところで、測長ロール５４の外周面は、加圧ロール５６と対向する対向部６６と、それ以外の領域（非対向部６８）とに分けられる。対向部６６は鋼やチタン等の金属であり、非対向部６８に対応する測長ロール５４の両端部を縮径し、円筒状に形成された例えばゴム硬度９０度のウレタンゴム等のゴム部材で、測長ロール５４の両端部を被覆する。
【００４４】
次に、本発明の実施の形態に係る測長装置２６の作用について説明する。
【００４５】
図２及び図３に示すように、測長ロール５４の外周面において、加圧ロール５６と対向する対向部６６を金属で形成することで、測長ロール５４の表面の多角化を防止することができる。つまり、測長ロール５４の円周長は常に略一定となり、測長ロール５４の１回転当たりのウエブ１２の搬送長は変動しない。
【００４６】
ここで、金属は特に限定されるものではないが、摩耗劣化など表面状態の変化が少ないものが良いため、鋼やチタンなどが好ましい。また、鉄材等にハードクロムメッキ等のメッキを施して摩耗劣化を防止するようにしても良い。さらに、いわゆるカーボンロールにメッキ等の表面処理を施したものを用いても良い。
【００４７】
なお、本発明では、測長ロール５４の表面の多角化を防止することができれば良いため、金属に限定されるものではなく、樹脂、セラミック等を用いても良い。
【００４８】
樹脂は特に限定されるものではないが、摩耗劣化など表面状態の変化の少ないものが良いため、エポキシ、硬質塩化ビニル、またはＭＣナイロンなどが好ましい。また、ポリエチレン、テフロン（登録商標）などのチューブ体を熱収縮等を利用して測長ロールの表面に薄層状に被覆してもよい。さらに、炭素繊維を含有させ、耐摩耗性を向上させた樹脂を用いても良い。
【００４９】
また、セラミックではアルミナ系他各種利用可能である。成形体の管など構造用部材を利用しても良く、溶射、蒸着等を利用したセラミックコーティングを利用することも可能である。
【００５０】
ところで、加工ライン９０において、ウエブ１２は、スリッタ（図示省略）等により、所定の幅に剪断されるが、剪断されたウエブ１２のエッジ部には、微少なバリが発生する。このようにバリが生じた状態で、高硬度表面の測長ロール５４でウエブを搬送すると、測長ロール５４の表面が傷ついたり、バリが測長ロール５４表面に堆積する。このように表面が傷ついたり、表面にバリが堆積した測長ロール５４に、ウエブ１２の表面が接触した場合、ウエブ１２の表面を傷つける原因となってしまう。
【００５１】
このため、加圧ロール５６の軸方向の長さを測長ロール５４の軸方向の長さよりも短く形成し、測長ロール５４の、対向部６６の両端部（非対向部６８）をゴム部材で形成することで、ウエブ１２のエッジ部はゴム部材と接触することとなる。これにより、ウエブ１２のバリによる測長ロール５４へのキズ付きを防止することが可能となる。
【００５２】
なお、ここでは、非対向部６８を円筒状のゴム部材で形成したが、非対向部６８の表面がゴム層であれば良いため、円筒状の樹脂等の表面をゴム製の膜でコーティングしたものであっても良い。さらに、測長ロール５４の両端部を縮径しゴム部材で被覆したが、ゴム部材は必ずしも必要ではなく、ウエブのエッジ部のバリが測長ロールの外周面に接触しないように、測長ロール５４の両端部に縮径部を設けただけであっても良い。
【図面の簡単な説明】
【００５３】
【図１】本発明の実施の形態に係る平版印刷版の加工ラインを示す概略図である。
【図２】本発明の実施の形態に係る平版印刷版の測長装置を示す正面図である。
【図３】本発明の実施の形態に係る平版印刷版の走間切断機を示す概念図である。
【図４】従来の走間切断機を示す概念図である（特許文献１）。
【図５】従来の測長装置を示す正面図である（特許文献１）。
【図６】搬送のライン速度と平版印刷版の切断長との関係を示す図である。
【符号の説明】
【００５４】
２６    測長装置
５４    測長ロール
５６    加圧ロール
６６    対向部（外周面）
６８    非対向部（ゴム層）
７６    シャー制御回路（検出手段）
【図１】
2006030000.tif 000003
【図２】
2006030000.tif 000004
【図３】
2006030000.tif 000005
【図４】
2006030000.tif 000006
【図５】
2006030000.tif 000007
【図６】
2006030000.tif 000008